(57)【特許請求の範囲】
【請求項１】
芯材たる発泡材の両面を構造用面材で挟着した構造用サンドイッチパネルにおける前記発泡材の側端部を部分的に切り取るための装置であって、作業者が手で握って操作するための本体部と、電源に連係させた発熱線を内蔵し、前記本体部の先端から突出する伝熱杆体であって、各構造用面材の内面にそれぞれ当接する左右の垂直杆及びそれらの下端を繋ぐ水平杆を有するものと、前記左右の垂直杆にスライド自在に固定されたガイド治具と、
を備える発泡材切取装置において、
前記左右の垂直杆と水平杆とが、それらの隅部において当該発泡材を切り残さない凵形に形成されており、
前記伝熱杆体が、前記発泡材に最先に当接する位置に配された前記発熱線をその後方から拘持体で拘持する断面構成をなすことを特徴とする発泡材切取装置。
【請求項２】
芯材たる発泡材の両面を構造用面材で挟着した構造用サンドイッチパネルにおける前記発泡材の側端部を切り残すことなく部分的に切り取るための装置であって、
作業者が手で握って操作するための本体部と、電源に連係させた発熱線を内蔵し、前記本体部の先端から突出する伝熱杆体であって、各構造用面材の内面にそれぞれ当接する下端高さの異なる左右の垂直杆及びそれらの下端を繋ぐ傾斜杆を有するものと、この傾斜杆に平行に、前記左右の垂直杆にスライド自在に固定されたガイド治具と、を備え、
前記伝熱杆体が、前記発泡材に最先に当接する位置に配された前記発熱線をその後方から拘持体で拘持する断面構成をなすことを特徴とする発泡材切取装置。
【請求項３】
前記拘持体の後方部が、前記発熱線を拘持する当該拘持体の前方部よりも細幅に形成されてなる、ことを特徴とする請求項１又は請求項２に記載の発泡材切取装置。
【請求項４】
前記本体部が、前記発熱線にかかる電圧を調節するための電圧調節手段を具備する、ことを特徴とする請求項１乃至請求項３のいずれか一項に記載の発泡材切取装置。
【発明の詳細な説明】
【０００１】
【発明の属する技術分野】
本発明は、芯材たる発泡材の両面を構造用面材で挟着した構造用サンドイッチパネルを住宅等に用いる場合において、その構造用サンドイッチパネルの発泡材の側端部を部分的に切り取るための発泡材切取装置に関する。
【０００２】
【従来の技術】
住宅等においては、芯材たる発泡材の両面を構造用面材で挟着した構造用サンドイッチパネルが広く用いられている。かかる構造用サンドイッチパネルを互いに連結するためには、発泡材を部分的に切り取ることにより各構造用サンドイッチパネルの側端部に凹陥溝を形成する必要があり、そのために従来は、図５に示すような発泡材切取装置を使用していた。この発泡材切取装置１’の伝熱杆体４’は、図示しない電源から延びる電源コード５に連係させた発熱線を内蔵しており、この発熱線がジュール熱を発生することにより伝熱杆体４’が加熱される。作業者は本体部２を手で持ち、ガイド治具３の下面を構造用面材Ｂ，Ｂの上端面に当接させた状態で矢印の方向に（作業者から見て手前に）発泡材切取装置１’をスライドさせ、加熱された伝熱杆体４’を発泡材Ｆに押し付けていくことにより、これを切り取って構造用サンドイッチパネルＰの上側端部に凹陥溝を形成することができる。
【０００３】
【発明が解決しようとする課題】
しかしながら、このような従来の発泡材切取装置１’には、以下のような問題があった。すなわち、発泡材切取装置１’の伝熱杆体４’は直径１０mm程度の中空丸棒を折り曲げて形成されているため、その隅部が厳密な直角ではなく外周半径２０mm程度の円弧となっている。したがって、この発泡材切取装置１’を使用した場合には、図６（ａ）に示すように、構造用面材Ｂと発泡材Ｆとの入隅部に必ず切り残し（斜線を付した部分）が生じ、このままでは構造用サンドイッチパネルＰ同士を連結することができないので、後でカッター等を用いてこれを除去しなければならず、手間がかかるとともに危険でもあった。
【０００４】
また、発泡材Ｆは加熱された伝熱杆体４’に接触した瞬間に溶融するので、発泡材Ｆを切り取るためには伝熱杆体４’のうち発泡材Ｆに最先に当接する部分のみが加熱されていれば足りるにもかかわらず、この発泡材切取装置１’においてはその構造上、伝熱杆体４’の全周が均一に加熱されており、また、発泡材の溶融カット巾が不必要に大きかったため、不当に大きな電力が必要となっていた。
【０００５】
一方、伝熱杆体４’の下方は水平杆４ｃ’を有するＵ形状であり、かつ、ガイド治具３は水平杆４ｃ’に平行を保ったままスライドできるに過ぎないので、発泡材切取装置１’を用いて構造用サンドイッチパネルＰの側端部を斜めに加工することはできなかった。したがって、構造用サンドイッチパネルＰを屋根パネルとして用いる場合、例えば図６（ｂ）中の二点鎖線で示す面で構造用サンドイッチパネルＰ（構造用面材Ｂ及び発泡材Ｆ）を加工する場合には、構造用面材Ｂを切断する前に、余分に切り取らないように図示のように比較的浅い面で発泡材Ｆを切り取り、その後さらにカッター等を用いて切り残し（斜線を付した部分）を除去するという面倒な手順を踏んでいた。
【０００６】
さらに、伝熱杆体４’が適正な温度に保持されていないと、発泡材Ｆが悪臭を含んだ煙を発生する等、発泡材Ｆをうまく溶融切断することができないため、作業者は、発泡材Ｆを切り取るスピード等を勘案しつつ発熱線にかかる電圧を調節する必要がある。しかし、そのためには一旦作業を中断して、作業者から離れた位置にある図示しない電源に近い直置きのトランスまで行かなければならないため、非常に面倒であり作業効率を低下させていた。
【０００７】
そこで本発明は、上記問題点に鑑み、従来よりも小さい電力で、発泡材を切り残すことなく効率的に、構造用サンドイッチパネルの側端部に斜め加工を含む凹陥溝を形成できる発泡材切取装置を提供することにより、構造用サンドイッチパネルの加工手間を減じ、もって当該構造用サンドイッチパネルを用いた住宅建設のコスト低減及び安全性向上を図ることを目的とする。
【０００８】
【課題を解決するための手段】
すなわち、請求項１記載の発明は、芯材たる発泡材の両面を構造用面材で挟着した構造用サンドイッチパネルにおける前記発泡材の側端部を部分的に切り取るための装置であって、作業者が手で握って操作するための本体部と、電源に連係させた発熱線を内蔵し、前記本体部の先端から突出する伝熱杆体であって、各構造用面材の内面にそれぞれ当接する左右の垂直杆及びそれらの下端を繋ぐ水平杆を有するものと、前記左右の垂直杆にスライド自在に固定されたガイド治具と、を備える発泡材切取装置において、前記左右の垂直杆と水平杆とが、それらの隅部において当該発泡材を切り残さない凵形に形成されており、前記伝熱杆体が、前記発泡材に最先に当接する位置に配された前記発熱線をその後方から拘持体で拘持する断面構成をなすことを特徴とする発泡材切取装置である。
【０００９】
このように、左右の垂直杆と水平杆とが、それらの隅部において当該発泡材を切り残さない凵形に形成されてなる伝熱杆体を備える発泡材切取装置によれば、構造用面材と発泡材との入隅部に切り残しを生じない完全な凹陥溝を一回で形成することができることになる。また、伝熱杆体のうち発泡材を溶融切断するために加熱する部分を、発泡材に最先に当接する位置に配された発熱線のみに限定し、その他の部分についてはこの発熱線を拘持する拘持体とした構成の伝熱杆体を備える発泡材切取装置によれば、伝熱杆体全体を加熱せずとも発熱線のみを加熱すればよくなり、従来よりも小さい電力で発泡材を切り取ることができるようになる。
【００１０】
一方、請求項２に記載の発明は、芯材たる発泡材の両面を構造用面材で挟着した構造用サンドイッチパネルにおける前記発泡材の側端部を切り残すことなく部分的に切り取るための装置であって、作業者が手で握って操作するための本体部と、電源に連係させた発熱線を内蔵し、前記本体部の先端から突出する伝熱杆体であって、各構造用面材の内面にそれぞれ当接する下端高さの異なる左右の垂直杆及びそれらの下端を繋ぐ傾斜杆を有するものと、この傾斜杆に平行に、前記左右の垂直杆にスライド自在に固定されたガイド治具と、を備え、前記伝熱杆体が、前記発泡材に最先に当接する位置に配された前記発熱線をその後方から拘持体で拘持する断面構成をなすことを特徴とする発泡切取装置である。
【００１１】
このように、左右の垂直杆と傾斜杆及びガイド治具とで平行四辺形を形成するようにした発泡材切取装置によれば、構造用サンドイッチパネルを屋根パネル等として用いるために、その側端部を切り残すことなく斜めに切断することができる。また、伝熱杆体のうち発泡材を溶融切断するために加熱する部分を、発泡材に最先に当接する位置に配された発熱線のみに限定し、その他の部分についてはこの発熱線を拘持する拘持体とした構成の伝熱杆体を備える発泡材切取装置によれば、伝熱杆体全体を加熱せずとも発熱線のみを加熱すればよくなり、従来よりも小さい電力で発泡材を切り取ることができるようになる。
【００１２】
また、請求項３記載の発明は、請求項１又は請求項２に記載の発明において、前記拘持体の後方部が、前記発熱線を拘持する当該拘持体の前方部よりも細幅に形成されてなる、ことを特徴とする。
【００１３】
このように、前記拘持体の後方部が、前記発熱線を拘持する当該拘持体の前方部よりも細幅に形成されていれば、溶融した後の発泡材が拘持体に引っ掛かりにくくなり、作業時の摩擦抵抗が小さくなるので、よりスムーズに発泡材を切り取ることができる。
【００１４】
また、請求項４記載の発明は、請求項１乃至請求項３のいずれか一項に記載の発明において、前記本体部が、前記発熱線にかかる電圧を調節するための電圧調節手段を具備する、ことを特徴とする。
【００１５】
このように、本体部と一体に電圧調節手段を備える発泡材切取装置によれば、作業中であっても作業者が手元で電圧を調節することにより発熱線の温度を調節できるため、作業効率が向上するとともに、発泡材の溶融不良や過加熱を防止できる。
【００１８】
【発明の実施の形態】
以下、添付図面に基づき、本発明の実施の形態を詳細に説明する。なお、説明において、同一要素には同一符号を用い、重複する説明は省略する。
【００１９】
＜実施形態１＞
図１は、本発明に係る発泡材切取装置の一実施形態を表す斜視図である。同図に示す発泡材切取装置１は、芯材たる発泡材Ｆ（例えば発泡成形ポリスチレン等）の両面を構造用面材Ｂ，Ｂで挟着した構造用サンドイッチパネルＰにおける発泡材Ｆの側端部を部分的に切り取るための装置であり、本体部２とガイド治具３と伝熱杆体４とを備えるものである。この発泡材切取装置１の伝熱杆体４は、図示しない電源から延びる電源コード５に連係させた発熱線を内蔵しており、この発熱線がジュール熱を発生することにより伝熱杆体４が加熱される。作業者は本体部２を手で持ち、ガイド治具３の下面を構造用面材Ｂ，Ｂの上端面に当接させた状態で矢印の方向に（作業者から見て手前に）発泡材切取装置１をスライドさせ、加熱された伝熱杆体４を発泡材Ｆに押し付けていくことにより、これを切り取って構造用サンドイッチパネルＰの上側端部に凹陥溝を形成することができる（図２（ａ）参照）。
【００２０】
ここで、発泡材切取装置１の伝熱杆体４は、従来の発泡材切取装置１’の伝熱杆体４’と異なる形状を有する。すなわち、図２（ｂ）に示すように、発泡材切取装置１の伝熱杆体４の垂直杆４ａ，４ｂと水平杆４ｃは正面から見て凵形を形成しており、それらの隅部の外角はいずれも２７０°となるように形成されている。これは、発泡材Ｆを切り取ったときに切り残しのない完全な凹陥溝ができるようにすることによって、後でカッター等を用いて切り残しを除去する手間を省くためである。
【００２１】
また、図３（ａ）に示すように、発泡材切取装置１の伝熱杆体４は、発熱線６をその後方から発熱線拘持具７で拘持した断面構成となっている。これは、発泡材Ｆを切り取るという目的を達成する限りにおいては、従来の発泡材切取装置１’のように伝熱杆体４’の断面全体を加熱する必要はなく、伝熱杆体４のうち発泡材Ｆに最先に当接する部分のみを加熱すれば足りることに鑑みたものである。この伝熱杆体４においては全断面に電流が流れるのではなく、発熱線拘持具７を除いた発熱線６のみを電流が流れるため、従来よりも大幅に小さい電力で発泡材Ｆを切断することができる。さらに、発熱線拘持具７は、図示のように発熱線６を拘持するために必要最小限の一定幅となっている。加熱されていない部分の幅が大きいと、その部分が邪魔になって発泡材Ｆをスムーズに切り取ることができなくなってしまうからである。
【００２２】
さらに、同図（ｂ）に示すように、伝熱杆体４の発熱線拘持具７の後方部が、その前方部よりも細幅に形成されてなる場合には、より効果的である。このように形成された伝熱杆体４を備える発泡材切取装置１によれば、溶融した後の発泡材Ｆが発熱線拘持具７に引っ掛かりにくくなり、作業時の摩擦抵抗が小さくなるので、よりスムーズに発泡材を切り取ることができるからである。
【００２３】
また、図１に示すように、発泡材切取装置１の本体部２の手前側端部には、発熱線にかかる電圧を調節するための電圧調節手段たる電圧調節ダイヤル８が具備されている。この電圧調節ダイヤル８を時計まわりにあるいはそれと反対まわりにまわすことにより、作業中であっても簡便に発熱線６にかかる電圧の調節をすることができ、常に適正な温度で発泡材Ｆを溶融し切り取ることができるので、作業効率が向上するとともに、発泡材の溶融不良や過加熱を防止できる。
【００２４】
なお、本発明は本実施形態に限定されるものでなく、本体部２、ガイド治具３、伝熱杆体４等の各部材の形状、構造等について、適宜変更して構成することができる。ただし、各部材に要求される機能を満足することが前提となることは言うまでもない。
【００２５】
＜実施形態２＞
図４は、本発明に係る発泡材切取装置の他の実施形態を表す要部拡大図であり、実施形態１における図２（ｂ）に相当する図である。同図に示す発泡材切取装置１Ａの伝熱杆体４Ａは、下端高さの異なる左右の垂直杆４Ａａ，４Ａｂと、それらの下端を繋ぐ傾斜杆４Ａｃとを有する。そしてもちろん、垂直杆４Ａａと傾斜杆４Ａｃとの隅部の外周及び垂直杆４Ａｂと傾斜杆４Ａｃとの隅部の外周は、発泡材Ｆに切り残しが生じないように角張って形成されている。
【００２６】
また、ガイド治具３Ａは、傾斜杆４Ａｃと平行になるように左右の垂直杆４Ａａ，４Ａｂにスライド自在に固定されている。具体的には、図示のようにガイド治具３Ａのボルト孔３Ａａが長孔に形成されており、これを利用することにより、ボルトでガイド治具３Ａを左右の垂直杆４Ａａ，４Ａｂに斜めに締付固定することができる。したがって、予め斜めに切断した構造用面材Ｂの上端面に沿ってガイド治具３Ａを滑らせながら、切り残しを生じないように発泡材Ｆの側端部を斜めに切り取ることができ、構造用サンドイッチパネルＰを屋根パネル等として用いる場合にも対応できる。ここで、同図に示したボルト孔３Ａａを有するガイド治具３Ａは、実施形態１における図２（ｂ）で示したガイド治具３と略同一の形状である。このように構造用サンドイッチパネルＰの端部加工の態様にかかわらず、なるべく共通の部品を使用することによって、全体としてのコストダウンを図ることができる。ただし、傾斜杆４Ａｃと平行になるように左右の垂直杆４Ａａ，４Ａｂにスライド自在に固定されるという要件を満たす限り、ガイド治具３Ａをガイド治具３とは異なる形状のものとすることはもちろん構わない。
【００２７】
なお、本発明は本実施形態に限定されるものでなく、各部材の形状、構造等について、適宜変更して構成することができる。ただし、各部材に要求される機能を満足することが前提となることは言うまでもない。
【００２８】
【発明の効果】
以上説明したように、請求項１記載の発泡材切取装置によれば、構造用面材と発泡材との入隅部に切り残しを生じない完全な凹陥溝を一回で形成することができるため、後でカッター等を用いて切り残しを除去する手間が省け、構造用サンドイッチパネルの加工手間を減じ、もって当該構造用サンドイッチパネルを用いた住宅建設のコスト低減及び安全性向上を図ることができる。また、伝熱杆体全体を高温にせずとも発熱線のみを高温にして発泡材を切り取ることができるようになっているため、従来よりも小さい電力で発泡材を切り取ることができ、構造用サンドイッチパネルの側端部加工のコスト低減を図ることができる。
【００２９】
一方、請求項２記載の発泡材切取装置によれば、左右の垂直杆と傾斜杆及びガイド治具とで平行四辺形を形成するようにしたため、構造用サンドイッチパネルを屋根パネル等として用いるために、その側端部を切り残すことなく斜めに切断することができ、構造用サンドイッチパネルの側端部加工のコスト低減を図ることができる。また、伝熱杆体全体を高温にせずとも発熱線のみを高温にして発泡材を切り取ることができるようになっているため、従来よりも小さい電力で発泡材を切り取ることができ、構造用サンドイッチパネルの側端部加工のコスト低減を図ることができる。
【００３０】
また、請求項３記載の発泡材切取装置によれば、前記拘持体の後方部が、前記発熱線を拘持する当該拘持体の前方部よりも細幅に形成されてなるため、よりスムーズに発泡材を切り取ることができ、構造用サンドイッチパネルの側端部加工のコスト低減を図ることができる。
【００３１】
さらに、請求項４記載の発泡材切取装置によれば、作業中であっても作業者が手元で電圧を調節することにより発熱線の温度を調節できるため、作業効率が向上するとともに、発泡材の溶融不良や過加熱を防止でき、構造用サンドイッチパネルの側端部加工のコスト低減及び安全性向上を図ることができる。
【図面の簡単な説明】
【図１】本発明に係る発泡材切取装置の一実施形態を表す斜視図である。
【図２】図１に示した発泡材切取装置の要部拡大図である。
【図３】伝熱杆体の断面構成例を表した図である。
【図４】本発明に係る発泡材切取装置の他の実施形態の要部拡大図である。
【図５】従来の発泡材切取装置を表す斜視図である。
【図６】従来の発泡材切取装置を用いて発泡材を切り取った構造用サンドイッチパネルの側端部を表す部分側面図である。
【符号の説明】
１    …発泡材切取装置
１Ａ  …発泡材切取装置
１’  …発泡材切取装置
２    …本体部
３    …ガイド治具
３Ａ  …ガイド治具
３Ａａ…ボルト孔
４    …伝熱杆体
４ａ  …垂直杆
４ｂ  …垂直杆
４ｃ  …水平杆
４Ａ  …伝熱杆体
４Ａａ…垂直杆
４Ａｂ…垂直杆
４Ａｃ…傾斜杆
４’  …伝熱杆体
４ｃ’…水平杆
５    …電源コード
６    …発熱線
７    …発熱線拘持具
８    …電圧調節ダイヤル
Ｂ    …構造用面材
Ｐ    …構造用サンドイッチパネル
Ｆ    …発泡材
【図１】
0004071863.tif 000002
【図２】
0004071863.tif 000003
【図３】
0004071863.tif 000004
【図４】
0004071863.tif 000005
【図５】
0004071863.tif 000006
【図６】
0004071863.tif 000007